(57)【要約】      （修正有）【課題】ハイパワーボード対ボードフローティングコネクタを提供する。【解決手段】ハイパワーボード対ボードフローティングコネクタ１０は、オスプラグ１２と、メスソケット１４とを備える。オスプラグは、第１の電極１２２と、第１の筐体１２４と、第１のプラグ１２６とを含む。メスソケットは、第２の電極１４２と、第２の筐体１４４と、フローティング部材１４６と、第２のプラグ１４８とを含む。第２の筐体はフローティング部材と連結することで、１つ又は複数の方向に僅かに移動できる接続部を形成して、オスプラグを許容範囲でメスソケットに接続でき、ひいては第１の電極を第２の電極に電気的に接続させる。【選択図】図１
0003227999.tif 000002
【実用新案登録請求の範囲】
【請求項１】
第１のプレート体と第２のプレート体を接続するハイパワーボード対ボードフローティングコネクタであって、
第１の電極と、第１の筐体と、第１のプラグとを含むオスプラグと、
第２の電極と、第２の筐体と、フローティング部材と、第２のプラグとを含むメスソケットと、
を備え、
前記第１の電極は、一端が前記第１のプレート体に接続され、他端が自由端であり、
前記第１の筐体は、第１の本体と、第１の接続部と、第１の結合部とを含み、前記第１の本体には、第１のジャックを有する第１の空間が形成され、前記第１のジャックには、前記第１の電極が設けられ、前記第１の接続部は、前記第１の電極の自由端が露出するように、前記第１の本体から延び、前記第１の結合部は、前記第１の本体の両側に形成され、
前記第１の筐体を前記第１のプレート体に固定するように、前記第１のプラグは前記第１の結合部と連結し、
前記第２の電極は、一端が前記第２のプレート体に接続され、他端が自由端であり、
前記第２の筐体は、第２の本体と、第２の結合部とを含み、前記第２の本体には、第２のジャックを有する第２の空間が形成され、前記第２のジャックには前記第２の電極が設けられ、前記第２の電極の自由端が前記第２の空間に露出され、前記第２の結合部は、Ｃ字形の開口を形成するように、前記第２の本体の両側に形成されて突出し、
前記フローティング部材は、第３の本体と、第３の結合部とを含み、前記第３の本体には、第３のジャックを有する第３の空間が形成され、前記第２の電極の自由端を収容するように、前記第３のジャックは前記第２のジャックに対応され、前記第３の結合部は、前記第３の本体の両側に形成されて突出し、前記第３の結合部は、前記Ｃ字形の開口に設置され、
前記第２の筐体を前記第２のプレート体に固定し、及び前記第３の結合部を前記Ｃ字形の開口に制限するように、前記第２のプラグは前記第２の結合部と連結し、
前記第１の接続部は、前記フローティング部材に接続されて、前記第１の電極を前記第２の電極に電気的に接続させることを特徴とするハイパワーボード対ボードフローティングコネクタ。
【請求項２】
前記第１の結合部は、前記第１のプラグを挿入させるように、Ｃ字形の溝を形成することを特徴とする請求項１に記載のハイパワーボード対ボードフローティングコネクタ。
【請求項３】
前記第２の結合部は、前記第２のプラグを挿入させるように、Ｃ字形の溝を形成することを特徴とする請求項１に記載のハイパワーボード対ボードフローティングコネクタ。
【請求項４】
第３の結合部は突起であり、
前記突起とＣ字形の開口との内縁の間には隙間があることを特徴とする請求項３に記載のハイパワーボード対ボードフローティングコネクタ。
【請求項５】
前記第１の空間には、貫通孔が更に形成され、
前記貫通孔は、前記第１のジャックの側辺に形成されることを特徴とする請求項１に記載のハイパワーボード対ボードフローティングコネクタ。
【請求項６】
前記第２の空間には、貫通孔が更に形成され、
前記貫通孔は、前記第２のジャックの側辺に形成されることを特徴とする請求項１に記載のハイパワーボード対ボードフローティングコネクタ。
【請求項７】
前記第３の空間には、貫通孔が更に形成され、
前記貫通孔は、前記第３のジャックの側辺に形成されることを特徴とする請求項１に記載のハイパワーボード対ボードフローティングコネクタ。
【請求項８】
前記第２の電極が前記第１の電極に接続されるように、前記第２の電極は、両端の間にＳ字状の曲げを形成することを特徴とする請求項１に記載のハイパワーボード対ボードフローティングコネクタ。
【請求項９】
前記第２の電極はシート体であり、
複数の前記第２の電極は、前記第１の電極を挟持するためのＹ字形の挟持体を形成することを特徴とする請求項８に記載のハイパワーボード対ボードフローティングコネクタ。
【請求項１０】
前記第１の電極はシート体であることを特徴とする請求項１に記載のハイパワーボード対ボードフローティングコネクタ。
【考案の詳細な説明】
【技術分野】
【０００１】
本考案は、コネクタの技術分野に関わり、特にフローティング接続できるハイパワーボード対ボードフローティングコネクタに関するものである。
【背景技術】
【０００２】
従来、オスプラグをメスソケットに接続する場合、オスプラグとメスソケットをスムーズに電気的に接続できるように、正確な位置決めが必要である。
【考案の概要】
【考案が解決しようとする課題】
【０００３】
しかしながら、車体などのスペースが限られた取り付け環境では、車体の取り付けスペースが限られるため、取り付け者は、オスプラグとメスソケットを容易に取り付けられず、オスプラグとメスソケットを破損する可能性がある。オスプラグとメスソケットのいずれかが予め車体に設置されるため、交換が容易ではない、これにより、予め車体に設置されたオスプラグ又はメスソケットが破損する場合、処理することはとても面倒くさい。また、オスプラグとメスソケットとがハイパワーの環境で接続されると、大量の廃熱が発生し、廃熱が即座に排出できない場合、オスプラグとメスソケットに蓄積して、オスプラグとメスソケットの破損、ひいてはワイヤーの短絡を引き起こす可能性があり、これは車用などの安全性が極めて高い環境に対して、明らかに安全性の問題が存在する。
【０００４】
以上の問題に対して、本考案は、従来の技術における欠陥を解決するためのハイパワーボード対ボードフローティングコネクタを提供する。
【課題を解決するための手段】
【０００５】
本考案の第一の目的は、オスプラグとメスソケットとを有し、フローティング接続構造により、オスプラグとメスソケットを正確な位置決めしなくても、コネクタ接続できるハイパワーボード対ボードフローティングコネクタを提供する。
【０００６】
本考案の第二の目的は、上記のハイパワーボード対ボードフローティングコネクタにより、ジャックに隣接する貫通孔を介して放熱し、ハイパワー（又は高電流）の環境に適用することである。
【０００７】
本考案の第三の目的は、上記のハイパワーボード対ボードフローティングコネクタにより、電極はＳ字形の構造により、フローティング接続構造に合わせてフローティング接続を実現することである。
【０００８】
本考案の第四の目的は、上記のハイパワーボード対ボードフローティングコネクタにより、結合部でプラグを連結することで、オスプラグとメスソケットをプレート体に固定することである。
【０００９】
以上の目的及び他の目的を達成するために、本考案は、第１のプレート体と第２のプレート体を接続するハイパワーボード対ボードフローティングコネクタを提供する。ハイパワーボード対ボードフローティングコネクタは、オスプラグと、メスソケットとを備える。オスプラグは、第１の電極と、第１の筐体と、第１のプラグとを含む。第１の電極は、一端が第１のプレート体に接続でき、他端が自由端である。第１の筐体は、第１の本体と、第１の接続部と、第１の結合部とを含む。第１の本体には、第１のジャックを有する第１の空間が形成される。第１のジャックには、第１の電極が設けられる。第１の接続部は、第１の電極の自由端が露出するように、第１の本体から延びる。第１の結合部は、第１の本体の両側に形成される。第１の筐体を第１のプレート体に固定するできるように、第１のプラグは第１の結合部と連結する。メスソケットは、第２の電極と、第２の筐体と、フローティング部材と、第２のプラグとを含む。第２の電極は、一端が第２のプレート体に接続でき、他端が自由端である。第２の筐体は、第２の本体と、第２の結合部とを含む。第２の本体には、第２のジャックを有する第２の空間が形成される。第２のジャックには第２の電極が設けられ、第２の電極の自由端が第２の空間に露出される。第２の結合部は、Ｃ字形の開口を形成するように、第２の本体の両側に形成されて突出する。フローティング部材は、第３の本体と、第３の結合部とを含む。第３の本体には、第３のジャックを有する第３の空間が形成される。第２の電極の自由端を収容するように、第３のジャックは第２のジャックに対応される。第３の結合部は、第３の本体の両側に形成されて突出する。第３の結合部は、Ｃ字形の開口に設置される。第２の筐体を第２のプレート体に固定できる及び第３の結合部をＣ字形の開口に制限できるように、第２のプラグは第２の結合部と連結する。また、第１の接続部はフローティング部材に接続されて、第１の電極を第２の電極に電気的に接続させる。
【００１０】
従来の技術と比較して、本考案のハイパワーボード対ボードフローティングコネクタは、例えばメスソケットにフローティング構造を提供する。これにより、オスプラグをメスソケットに挿入する過程で、挿入方向の同じ方向、垂直方向又は水平方向などの移動可能な範囲で接続することができて、異なる応用環境に適用する。
【図面の簡単な説明】
【００１１】
【図１】図１は本考案の実施例にかかるハイパワーボード対ボードフローティングコネクタの構造を示す斜視図である。
【図２】図２は本考案の図１にかかるオスプラグを説明するための詳しい分解図である。
【図３】図３は本考案の図２にかかるオスプラグの組み合わせを説明するための正面図である。
【図４】図４は本考案の図１にかかるメスソケットを説明するための詳しい分解図である。
【図５】図５は本考案の図４にかかるメスソケットの組み合わせを説明するための正面図である。
【図６】図６は本考案の図４にかかるメスソケットの組み合わせを説明するための図である。
【考案を実施するための形態】
【００１２】
本考案の目的、特徴及び効果を十分に理解するために、後述の実施例及び図面に基づいて、本考案を説明する。
【００１３】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１４】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１５】
図１は本考案の実施例にかかるハイパワーボード対ボードフローティングコネクタの構造を示す斜視図である。図１では、ハイパワーボード対ボードフローティングコネクタ１０は、第１のプレート体と第２のプレート体を接続する。図１には、第１のプレート体と第２のプレート体が示されないが、第１のプレート体と第２のプレート体は、筐体又は回路レイアウトを有する回路基板などの形態であってもよい。
【００１６】
ハイパワーボード対ボードフローティングコネクタ１０は、オスプラグ１２と、メスソケット１４とを備える。
【００１７】
オスプラグ１２は、第１の電極１２２と、第１の筐体１２４と、第１のプラグ１２６とを含む。図２も参照してもよい、図２は本考案の図１にかかるオスプラグを説明するための詳しい分解図である。
【００１８】
第１の電極１２２は、一端１２２２が第１のプレート体に接続でき、他端１２２４が自由端である。即ち、オスプラグ１２は、メスソケット１４に接続されていない場合は、何も接続されていない。本実施例では、第１の電極１２２の数は３つを例に説明し、他の実施例では、第１の電極１２２の数は１つ以上であってもよい。更に、第１の電極１２２の形態はシート体であり、ここではＬ字形のシート体である。
【００１９】
第１の筐体１２４は、第１の本体１２４２と、第１の接続部１２４４と、第１の結合部１２４６とを含む矩形体である。
【００２０】
第１の本体１２４２には、第１のジャック１２４２２を有する第１の空間ＦＳＰが形成される。本実施例では、第１のジャック１２４２２は、貫通孔の形態であり、その組み合わせ時に第１の電極１２２を挿入して収容することができる。本実施例では、第１のジャック１２４２２の数は３つを例に説明し、他の実施例では、第１のジャック１２４２２の数は１つ以上であってもよい。実際には、第１のジャック１２４２２の数は、第１の電極１２２の数以上である。
【００２１】
第１の接続部１２４４は第１の本体１２４２から延び、ここで、例えばＴ字形の本体を形成するために、第１の接続部１２４４の幅は第１の本体１２４２の幅よりも小さくなる。第１の電極１２２の自由端が第１の接続部１２４４に露出してもよい。
【００２２】
第１の結合部１２４６は第１の本体１２４２の両側に形成される。ここで、第１の結合部１２４６も第１の本体１２４２から両側に向かって延び、それぞれにＣ字形の溝を形成する。Ｃ字形の溝は、ガイドの機能を提供し、Ｃ字形の溝の開口サイズを設計することにより、Ｃ字形の溝が第１のプラグ１２６としっかり連結する機能も実現できる。
【００２３】
第１のプラグ１２６は、第１の結合部１２４６と連結することができる。Ｃ字形の溝の設計された開口サイズは、第１のプラグ１２６の厚さと同じである場合、第１の筐体１２４を第１のプレート体に安定的に固定できる。ここで、第１のプラグ１２６はＣ字形の部材である。図３も参照してもよい、図３は本考案の図２にかかるオスプラグの組み合わせを説明するための正面図である。
【００２４】
第１の空間ＦＳＰには、他の貫通孔１２４２４が更に形成されてもよい。ここで、貫通孔１２４２４は、第１の電極１２２が設けられないホールを表してもよい。貫通孔１２４２４は、第１のジャック１２４２２の側辺又は複数の第１のジャック１２４２２の間に形成される。また、貫通孔１２４２４の形状は任意の形状であってもよい、ここでは、矩形貫通孔を例に説明する。
【００２５】
メスソケット１４は、第２の電極１４２と、第２の筐体１４４と、フローティング部材１４６と、第２のプラグ１４８とを含む。図４も参照してもよい、図４は本考案の図１にかかるメスソケットを説明するための詳しい分解図である。
【００２６】
第２の電極１４２は、一端が第２のプレート体に接続でき、他端が自由端である。即ち、メスソケット１４は、オスプラグ１２に接続されていない場合は、何も接続されていない。本実施例では、第２の電極１４２の数は６つを例に説明し、他の実施例では、第２の電極１４２の数は複数であってもよい。更に、第２の電極１４２の一端１４２２はシート体である。例えば、２つの第２の電極１４２の他端１４２４により、第１の電極１２２を挟持するためのＹ字形の挟持体を形成することができる。第２の電極１４２は、両端１４２２、１４２４の間にＳ字状の曲げを形成して、第１の電極１２２に接続する時の左右または前後に移動するなどの変位弾性を提供する。
【００２７】
第２の筐体１４４は、第２の本体１４４２と、第２の結合部１４４４とを含む矩形体である。
【００２８】
第２の本体１４４２には、第２のジャック１４４２２を有する第２の空間ＳＳＰが形成される。本実施例では、第２のジャック１４４２２は、貫通孔の形態であり、その組み合わせ時に第２の電極１４２を挿入して収容することができる。本実施例では、第２のジャック１４４２２の数は３つを例に説明し、他の実施例では、第２のジャック１４４２２の数は１つ以上であってもよい。実際には、第２のジャック１４４２２の数は、第２の電極１４２の数以上である。また、第２のジャック１４４２２のサイズは、例えば２つの第２の電極１４２を収容するようなサイズである。
【００２９】
第２のジャック１４４２２には、第２の電極１４２が設けられる。第２の電極１４２の自由端が、第２の空間ＳＳＰに露出される。
【００３０】
第２の結合部１４４４は、Ｃ字形の開口１４４４２を形成するように、第２の本体１４４２の両側に形成されて突出する。また、第２の結合部１４４４もそれぞれにＣ字形の溝を形成する。Ｃ字形の溝は、ガイドの機能を提供し、Ｃ字形の溝の開口サイズを設計することにより、Ｃ字形の溝が第２のプラグ１４８としっかり連結する機能も実現できる。
【００３１】
フローティング部材１４６は、第３の本体１４６２と、第３の結合部１４６４とを含む。
【００３２】
第３の本体１４６２には、第３のジャック１４６２２を有する第３の空間ＴＳＰが形成される。第２の電極１４２の自由端を収容するように、第３のジャック１４６２２は第２のジャック１４４２２に対応される。また、第３の結合部１４６４は、第３の本体１４６２の両側に形成されて突出する。図５も参照してもよい、図５は本考案の図４にかかるメスソケットの組み合わせを説明するための正面図である。ここで、第３の結合部１４６４は突起を例に説明し、突起とＣ字形の開口１４４４２との内縁の間には隙間があり、第３の結合部１４６４がＣ字形の開口に設置されると、突起はＣ字形の開口１４４４２で前後左右に変位することができる。
【００３３】
第２の筐体１４４を第２のプレート体に固定できる及び第３の結合部１４６４をＣ字形の開口１４４４２に制限できるように、第２のプラグ１４８は第２の結合部１４４４と連結する。Ｃ字形の溝の設計された開口サイズは、第２のプラグ１４８の厚さと同じである場合、第２の筐体１４４を第２のプレート体に安定的に固定できる。ここで、第２のプラグ１４８はＣ字形の部材である。図６も参照してもよい、図６は本考案の図４にかかるメスソケットの組み合わせを説明するための図である。
【００３４】
第１の接続部１２４４はフローティング部材１４６に接続されて、第１の電極１２２を第２の電極１４２に電気的に接続させる。
【００３５】
第２の空間ＳＳＰと第３の空間ＴＳＰには、それぞれに他の貫通孔１４４２４、１４６２４が更に形成されてもよい。ここで、貫通孔１４４２４、１４６２４も、第２の電極１４２が設けられないホールを表してもよい。貫通孔１４４２４は、第２のジャック１４４２２の側辺又は複数の第２のジャック１４４２２の間に形成され、貫通孔１４６２４は、第３のジャック１４６２２の側辺又は複数の第３のジャック１４６２２の間に形成される。また、貫通孔１２４２４の形状は任意の形状であってもよい、ここでは、矩形貫通孔を例に説明する。
【００３６】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３７】
１０…ハイパワーボード対ボードフローティングコネクタ
１２…オスプラグ
１２２…第１の電極
１２２２、１２２４…電極端
１２４…第１の筐体
１２４２…第１の本体
１２４２２…第１のジャック
１２４２４…貫通孔
１２４４…第１の接続部
１２４６…第１の結合部
１２６…第１のプラグ
１４…メスソケット
１４２…第２の電極
１４２２、１４２４…電極端
１４４…第２の筐体
１４４２…第２の本体
１４４２２…第２のジャック
１４４４…第２の結合部
１４４４２…Ｃ字形の開口
１４６…フローティング部材
１４６２…第３の本体
１４６２２…第３のジャック
１４６４…第３の結合部
１４８…第２のプラグ
１４４２４、１４６２４…貫通孔
ＦＳＰ…第１の空間
ＳＳＰ…第２の空間
ＴＳＰ…第３の空間
【図１】
0003227999.tif 000003
【図２】
0003227999.tif 000004
【図３】
0003227999.tif 000005
【図４】
0003227999.tif 000006
【図５】
0003227999.tif 000007
【図６】
0003227999.tif 000008